(57)【要約】【課題】希望の金券などの商品を消費者が容易に手に入れることができ、金券などの商品売買の運営管理を容易にすること。【解決手段】各商店が販売委託する商品の情報を登録し、販売委託を取り消された商品の情報の登録を削除し、消費者に、登録されている商品の情報を閲覧し、希望する商品の購入申込が可能な環境を提供し、商品の購入申込をした消費者が、以前に購入申込したことが無ければ、この商品の購入申込をした消費者の個人情報を取得して登録し、他方、商品の購入申込をした消費者が、以前に購入申込したことが有れば、登録されている消費者の個人情報に基づいて、この商品の購入申込をした消費者の認証を行い、購入申込がなされた商品の情報を、この商品の購入申込をした消費者の個人情報と共に、この商品を販売委託した商店に送る。【選択図】なし【特許請求の範囲】
【請求項１】
データベースを管理し、ネットワークに接続されているコンピュータであって、
各商店が販売委託する商品の情報を、ネットワークを介して、各商店のコンピュータから受信すると、この販売委託される商品の情報をデータベースに登録する機能と、
各商店が販売委託した商品の販売委託の取消を、ネットワークを介して、各商店のコンピュータから受信すると、この販売委託を取り消された商品の情報を、データベースから削除する機能と
ネットワークを介して、消費者の端末に、データベースに情報が登録されている商品の情報を閲覧し、希望する商品の購入申込が可能な環境を提供する機能と、
商品の購入申込をした消費者が、以前に購入申込したことが無ければ、この商品の購入申込をした消費者の個人情報を取得してデータベースに登録し、他方、商品の購入申込をした消費者が、以前に購入申込したことが有れば、データベースに登録されている消費者の個人情報に基づいて、この商品の購入申込をした消費者の認証を行う機能と、
購入申込がなされた商品の情報を、この商品の購入申込をした消費者の個人情報と共に、ネットワークを介して、この商品を販売委託した商店のコンピュータに送信する機能とを有することを特徴とする販売代行サーバ。
【請求項２】
販売委託された商品の売上金額を各商店ごとに記録し、各商店に対して売上金額に応じた利用料金を請求する請求書を発行する機能を有することを特徴とする請求項１に記載の販売代行サーバ。
【請求項３】
データベースを管理し、ネットワークに接続されているコンピュータが実行する方法であって、
各商店が販売委託する商品の情報を、ネットワークを介して、各商店のコンピュータから受信すると、この販売委託される商品の情報をデータベースに登録する工程と、
各商店が販売委託した商品の販売委託の取消を、ネットワークを介して、各商店のコンピュータから受信すると、この販売委託を取り消された商品の情報を、データベースから削除する工程と
ネットワークを介して、消費者の端末に、データベースに情報が登録されている商品の情報を閲覧し、希望する商品の購入申込が可能な環境を提供する工程と、
商品の購入申込をした消費者が、以前に購入申込したことが無ければ、この商品の購入申込をした消費者の個人情報を取得してデータベースに登録し、他方、商品の購入申込をした消費者が、以前に購入申込したことが有れば、データベースに登録されている消費者の個人情報に基づいて、この商品の購入申込をした消費者の認証を行う工程と、
購入申込がなされた商品の情報を、この商品の購入申込をした消費者の個人情報と共に、ネットワークを介して、この商品を販売委託した商店のコンピュータに送信する工程とを含むことを特徴とする販売代行サーバ。
【請求項４】
販売委託された商品の売上金額を各商店ごとに記録し、各商店に対して売上金額に応じた利用料金を請求する請求書を発行する工程を含むことを特徴とする請求項３に記載の販売代行方法。
【発明の詳細な説明】
【０００１】
【発明の属する技術分野】
本発明は、販売代行サーバ及び方法に関する。
【０００２】
【従来の技術】
一般に、金券ショップは、不要となった金券を買い取り、これを希望する消費者に販売する商売を行っている。金券ショップの中には、独自のＷｅｂサイトでオンラインショップを運営しているところもある。
【０００３】
また一般に、不要となった金券を、オークションサイトに出品して、消費者に販売することも行われている。
【０００４】
【発明が解決しようとする課題】
ところで、金券ショップは、一般に知名度が低く、金券の購入を希望する消費者は、希望する金券を求めて探し回る必要がある。
【０００５】
またオークションサイトは、参加者が、個人であることも多く、多人数となるため、利用料金の回収が大変になる。
【０００６】
本発明は係る現状の問題点に鑑みてなされたもので、希望の金券などの商品を消費者が容易に手に入れることができ、金券などの商品売買の運営管理を容易にすることを課題とする。
【０００７】
【課題を解決するための手段】
本発明において上記の課題を達成するために、まず請求項１の発明では、データベースを管理し、ネットワークに接続されているコンピュータであって、
各商店が販売委託する商品の情報を、ネットワークを介して、各商店のコンピュータから受信すると、この販売委託される商品の情報をデータベースに登録する機能と、
各商店が販売委託した商品の販売委託の取消を、ネットワークを介して、各商店のコンピュータから受信すると、この販売委託を取り消された商品の情報を、データベースから削除する機能と
ネットワークを介して、消費者の端末に、データベースに情報が登録されている商品の情報を閲覧し、希望する商品の購入申込が可能な環境を提供する機能と、
商品の購入申込をした消費者が、以前に購入申込したことが無ければ、この商品の購入申込をした消費者の個人情報を取得してデータベースに登録し、他方、商品の購入申込をした消費者が、以前に購入申込したことが有れば、データベースに登録されている消費者の個人情報に基づいて、この商品の購入申込をした消費者の認証を行う機能と、
購入申込がなされた商品の情報を、この商品の購入申込をした消費者の個人情報と共に、ネットワークを介して、この商品を販売委託した商店のコンピュータに送信する機能とを有することを特徴とする販売代行サーバとしたものである。
【０００８】
また請求項２の発明では、販売委託された商品の売上金額を各商店ごとに記録し、各商店に対して売上金額に応じた利用料金を請求する請求書を発行する機能を有することを特徴とする請求項１に記載の販売代行サーバとしたものである。
【０００９】
また請求項３の発明では、データベースを管理し、ネットワークに接続されているコンピュータが実行する方法であって、
各商店が販売委託する商品の情報を、ネットワークを介して、各商店のコンピュータから受信すると、この販売委託される商品の情報をデータベースに登録する工程と、
各商店が販売委託した商品の販売委託の取消を、ネットワークを介して、各商店のコンピュータから受信すると、この販売委託を取り消された商品の情報を、データベースから削除する工程と
ネットワークを介して、消費者の端末に、データベースに情報が登録されている商品の情報を閲覧し、希望する商品の購入申込が可能な環境を提供する工程と、
商品の購入申込をした消費者が、以前に購入申込したことが無ければ、この商品の購入申込をした消費者の個人情報を取得してデータベースに登録し、他方、商品の購入申込をした消費者が、以前に購入申込したことが有れば、データベースに登録されている消費者の個人情報に基づいて、この商品の購入申込をした消費者の認証を行う工程と、
購入申込がなされた商品の情報を、この商品の購入申込をした消費者の個人情報と共に、ネットワークを介して、この商品を販売委託した商店のコンピュータに送信する工程とを含むことを特徴とする販売代行サーバとしたものである。
【００１０】
また請求項４の発明では、販売委託された商品の売上金額を各商店ごとに記録し、各商店に対して売上金額に応じた利用料金を請求する請求書を発行する工程を含むことを特徴とする請求項３に記載の販売代行方法としたものである。
【００１１】
【発明の実施の形態】
以下に、本発明の一実施形態を、金券ショップを例に取って説明するが、本発明は一般の商店にも適用可能である。
【００１２】
１．構成
本実施形態では、図１に示すように、消費者はネットワークに接続可能な端末を所持し、金券ショップは端末とサーバとをネットワークに接続し、販売代行業者はサーバをネットワークに接続する。ここで販売代行業者とは、各金券ショップから販売委託を受けて金券の販売を代行する業者のことである。
【００１３】
ネットワークは、各端末と各サーバとの間、各端末との間、及び各サーバの間で、データ通信が可能であれば、特に制限は無く、例えば、インターネットや専用回線でも良く、また、途中で光通信や無線通信が行なわれるものであっても良い。
【００１４】
消費者の端末は、パソコンなどのコンピュータ、或いは携帯電話などの携帯端末である。金券ショップの端末は、パソコンなどのコンピュータである。
【００１５】
販売代行業者のサーバは、データベース（ＤＢ）を有し、このデータベース（ＤＢ）管理するコンピュータである。このデータベースを、販売代行業者のデータベースと呼ぶことにする。また販売代行業者のサーバを、販売代行サーバとも呼ぶことにする。
【００１６】
また金券ショップのサーバも、データベース（ＤＢ）を有し、このデータベース（ＤＢ）管理するコンピュータである。このデータベースを、金券ショップのデータベースと呼ぶことにする。
【００１７】
販売代行業者のデータベースには、金券ショップから販売の委託を受けた金券の情報が登録されている。この金券の情報には、この金券の在庫情報が含まれる。消費者は自分の端末を用いてネットワークを介して販売代行業者のサーバにアクセスすることにより、販売代行業者のデータベースに登録されている金券の情報を閲覧し、希望する金券の在庫があれば、これの購入申込をすることが可能である。また販売代行業者のデータベースには、以前に、販売代行業者のサーバにアクセスして、購入申込したことのある消費者の個人情報（顧客情報）も登録される。
さらに販売代行業者のデータベースには、各金券ショップごとに、販売委託された金券の売上金額が所定期間（例えば、日、週、月、年など）単位で登録されている。
【００１８】
金券ショップのデータベースには、この金券ショップが販売している金券の情報が登録されている。この金券の情報には、この金券の在庫情報が含まれる。消費者は自分の端末を用いてネットワークを介して金券ショップのサーバにアクセスすることにより、金券ショップのデータベースに登録されている金券の情報を閲覧し、希望する金券の在庫があれば、これの購入申込をすることが可能である。
また金券ショップのデータベースには、以前に、この金券ショップが販売代行業者に販売を委託した金券を、販売代行業者のサーバにアクセスして、購入申込をしたことのある消費者の個人情報（顧客情報）、及び、以前に、金券ショップのサーバにアクセスして、金券を購入申込したことのある消費者の個人情報（顧客情報）も登録されている。
【００１９】
尚、各データベースに登録されている消費者の個人情報には、本人認証のための情報が含まれている。本人認証のための情報には、例えば、ＩＤやメールアドレスなど各消費者に唯一に割り当てられた情報、パスワードなど本人しか知らない筈の情報などがある。
【００２０】
２．金券ショップが販売代行業者に金券を販売委託するときの処理
金券ショップが販売代行業者に金券を販売委託するとき、この金券の情報は、販売代行業者のデータベースに登録される。この登録は、例えば、以下のＳＴＥＰ１〜３のような処理によりなされる。
【００２１】
ＳＴＥＰ１；
金券ショップが、金券ショップの端末にて、ネットワークを介して、販売代行業者のサーバに、金券の販売委託を申込むと、販売代行業者のサーバは、この申込に応じて、金券ショップの端末に金券登録画面を表示させる。
金券登録画面は、金券ショップが販売代行業者に販売委託する金券の情報を項目単位で入力する画面である。金券登録画面における金券の情報を入力する項目を、図２に例示する。
【００２２】
ＳＴＥＰ２；
金券ショップが、金券ショップの端末にて、販売代行業者に販売委託する金券の情報を金券登録画面に入力すると、金券ショップの端末は、金券登録画面に入力された金券の情報を、ネットワークを介して、販売代行業者のサーバに送信する。
【００２３】
ＳＴＥＰ３；
販売代行業者のサーバは、金券登録画面に入力された金券の情報を受信すると、金券登録画面に入力された金券の情報に、この金券の在庫有りを示す在庫情報を付加したものを、販売代行業者のデータベースに登録する。
【００２４】
販売委託する金券の情報を登録するもう一つの処理例を、以下のＳＴＥＰ１〜２に示す。
【００２５】
ＳＴＥＰ１；
金券ショップが、金券ショップ端末にて、金券ショップのデータベースに情報が登録されている金券の中から、販売代行業者に販売委託する金券を指定すると、金券ショップのサーバは、指定された金券の情報を、販売代行業者のサーバに送る。
【００２６】
ＳＴＥＰ２；
販売代行業者のサーバは、金券の情報を受信すると、この金券の情報に、この金券の在庫有りを示す在庫情報を付加したものを、販売代行業者のデータベースに登録する。
【００２７】
３．金券ショップが販売代行業者に対して金券の販売委託を取消すときの処理
販売代行業者に販売委託した金券が、金券ショップの店頭、或いは、金券ショップのサーバで売れてしまったなどの事情で、金券ショップが販売代行業者に対して金券の販売委託を取り消すとき、販売代行業者のデータベースから、販売委託を取り消された金券の情報が削除される。この削除は、例えば、以下の処理によりなされる。
【００２８】
金券ショップが、金券ショップの端末にて、ネットワーク介して、販売代行業者のサーバに、販売委託した金券の販売委託の取消を通知すると、販売代行業者のサーバは、この通知に応じて、販売代行業者のデータベースから、販売委託が取り消された金券の情報を、この金券の在庫情報と共に削除する。
【００２９】
また消費者が金券ショップのサーバに金券の購入申込した場合、自動的に、金券ショップのサーバが、ネットワーク介して、販売代行業者のサーバに、その購入申込がなされた金券の販売委託の取消を通知し、販売代行業者のサーバが、この通知に応じて、販売代行業者のデータベースから、その購入申込された金券の情報を、この金券の在庫情報と共に削除しても良い。
【００３０】
４．消費者が金券を購入するときの処理
消費者は、販売代行業者のデータベースに情報が登録されている金券を購入できる。この購入は、例えば、以下の処理によりなされる（図４のフローチャート参照）。
【００３１】
ＳＴＥＰ１；
販売代行業者のサーバは、ネットワークを介して、消費者が、消費者の端末にて、販売代行業者のデータベースに登録されている金券の情報を閲覧し、希望する金券の在庫があれば、希望する金券の購入申込を行う環境を、消費者の端末に提供する。
【００３２】
ＳＴＥＰ２；
消費者が、消費者の端末にて、ネットワークを介して、販売代行業者のサーバに、希望する金券の購入申込を行うと、消費者の端末は、金券の購入申込を、販売代行業者のサーバに送信する。
【００３３】
ＳＴＥＰ３；
販売代行業者のサーバは、金券の購入申込を受信すると、ネットワークを介して、消費者の端末に、以前に金券を購入申込したことの有無を問い合わせる表示し、その有無を消費者の端末に入力するよう消費者に促す。
以前に金券の購入申込をしたことが無いと入力されたならば、ＳＴＥＰ４に進む。
以前に金券の購入申込をしたことが有ると入力されたならば、ＳＴＥＰ５に進む。
【００３４】
ＳＴＥＰ４；
消費者の端末は、販売代行業者のサーバに、消費者が以前に金券の購入申込をしたことが無いとの情報を送信する。
販売代行業者のサーバは、この情報を受信すると、ネットワークを介して、消費者の端末に顧客情報登録画面を表示する。顧客情報登録画面は、消費者の個人情報（顧客情報）を項目毎に入力する画面である。顧客情報登録画面における消費者の個人情報を入力する項目を、図３に例示する。図３に示す例では、ＩＤは、各消費者を唯一に識別するために販売代行業者のサーバが自動的に各消費者に付与するものである。また図３に示す例では、ＩＤ又はメールアドレスの何れか或いは両方が本人認証のための情報となっている。
消費者が、消費者の端末に、消費者の個人情報を顧客情報登録画面に入力すると、消費者の端末は、顧客情報登録画面に入力された消費者の個人情報を、ネットワークを介して、販売代行業者のサーバに送信する。
販売代行業者のサーバは、消費者の個人情報を受信し、受信した消費者の個人情報を、販売代行業者のデータベースに登録する。
ＳＴＥＰ６に進む。
【００３５】
ＳＴＥＰ５；
消費者の端末は、販売代行業者のサーバに、消費者が以前に金券の購入申込をしたことが有るとの情報を送信する。
販売代行業者のサーバは、この情報を受信すると、ネットワークを介して、消費者の端末に、本人認証のための情報を消費者の端末に入力するよう消費者に促す情報を表示する。
消費者が、消費者の端末に、本人認証のための情報を入力すると、消費者の端末は、入力された本人認証のための情報を、ネットワークを介して、販売代行業者サーバに送信する。
販売代行業者のサーバは、本人認証のための情報を受信し、受信した本人認証のための情報と、販売代行業者のサーバに登録されている本人認証のための情報とを照合することにより、消費者の本人認証を行う。
本人認証の結果、本人であることが確認されたならば、ＳＴＥＰ６に進む。
本人認証の結果、本人でないことが確認されたならば、ＥＮＤに進む。
【００３６】
ＳＴＥＰ６；
販売代行業者のサーバは、販売代行業者のデータベースにおいて、購入申込のなされた金券の在庫情報を在庫有りから在庫無しに更新する。
また販売代行業者のサーバは、販売代行業者のデータベースにおいて、購入申込のなされた金券の販売委託をした金券ショップの今期の売上金額を、購入申込のなされた金券の売価を加算したものに更新する。
【００３７】
ＳＴＥＰ７；
販売代行業者のサーバは、購入申込のなされた金券の情報を、これを購入申込した消費者の個人情報と共に、この金券の販売を委託した金券ショップのサーバに送信する。
【００３８】
ＳＴＥＰ８；
金券ショップのサーバは、購入申込のなされた金券の情報を、これを購入申込した消費者の個人情報と共に受信すると、金券ショップのデータベースにおいて、購入申込のなされた金券の在庫情報を在庫有りから在庫無しに更新する。
また金券ショップのサーバは、金券ショップのデータベースに、購入申込した消費者の個人情報が登録されていなければ、この消費者の個人情報を、このデータベースに登録する。
【００３９】
ＳＴＥＰ９；
金券ショップのサーバは、金券を購入申込した消費者に、金券を購入申込したことを確認する電子メールを送る。
【００４０】
ＳＴＥＰ１０；
金券ショップのサーバは、購入申込のなされた金券の情報を、これを購入申込した消費者の個人情報と共に出力して、金券ショップに、購入申込のなされた金券を、これを購入申込した消費者に送付するよう促す。尚、金券は、宅配便で送られ、代金引き換えで、消費者に渡され、金券の購入が完了する。
【００４１】
５．金券ショップに対する請求書の発行
販売代行業者のサーバは、所定期間が経過するごとに、販売代行業者のデータベースに各金券ショップごとに登録されている、その所定期間の売上金額に基づいて、各金券ショップに対して、その所定期間の売上金額に応じた利用料金を請求する請求書を発行する。但し、売上金額が無ければ、利用料金は請求しなくても良い。
【００４２】
請求書は、紙媒体でも、電子媒体であっても良い。紙媒体の請求書は、各金券ショップに郵送される。電子媒体の請求書は、電子メールで、各金券ショップに送られる。
【００４３】
６．販促
販売代行業者は、販売代行業者のデータベースに登録されている顧客情報（消費者の個人情報）に基づいて、販促を行う。例えば、販促メール送付許諾者（図３に示す顧客情報登録画面で販促メール送付許諾を受諾した者）に対して、電子メールによる販促を行う。同様に、金券ショップは、金券ショップのデータベースに登録されている顧客情報（消費者の個人情報）に基づいて、販促を行う。
【００４４】
【発明の効果】
請求項１及び３の発明は、金券ショップなどの各商店から、金券などの商品の販売委託を受けて、これを一般消費者に販売するものなので、金券などの商品の品揃えが極めて豊富になり、希望する商品を消費者が極めて容易に手に入るようにすることが可能になるという効果がある。
また請求項１及び３の発明は、各商店からの販売委託、販売委託の取消がネットワークを介してなされ、また、消費者が商品の購入申込をすると、その消費者と商品の情報がネットワークを介して、その商品を販売委託した商店に送られるので、商品の売買の運営管理が容易になるという効果もある。
また請求項１及び３の発明は、商品の購入申込をしたことがある消費者の個人情報が、データベースに登録されているので、この情報に基づいて、販促が行えるという効果もある。
【００４５】
請求項２及び４の発明は、販売委託された商品の売上金額に応じて、各商店に利用料金を請求するので、販売代行業者にとっては、個人の出品が多いオークションサイトに比較して利用料金の回収が容易であり、他方、各商店にとっては、商品の販売委託を気軽に行えるという効果がある。
【図面の簡単な説明】
【図１】本実施形態に関わるシステムの構成例を説明する図。
【図２】金券登録画面における金券の情報を入力する項目を例示する図。
【図３】顧客情報登録画面における消費者の個人情報を入力する項目を例示する図。
【図４】販売代行業者のデータベースに情報が登録されている金券を消費者が購入するときになされる処理例を説明するフローチャート。
【符号の説明】
ＤＢ…データベース
【図１】
2004258952.tif 000002
【図２】
2004258952.tif 000003
【図３】
2004258952.tif 000004
【図４】
2004258952.tif 000005